(57)【特許請求の範囲】
【請求項１】
複数の電子メールアドレスにそれぞれ画像形成装置に搭載された複数種類の印刷機能または後処理機能に関する画像出力形式を割り当てる画像出力形式割当手段と、
前記複数の電子メールアドレスにかかる電子メールを受信する電子メール受信手段と、
受信した電子メールにかかる電子メールアドレスに割り当てられた前記画像出力形式に従って前記受信した電子メールに添付された画像データに対応する画像を形成する画像形成手段と、を有することを特徴とする画像形成装置。
【請求項２】
前記画像処理形式は、カラー印刷またはモノクロ印刷機能、両面印刷機能または片面印刷機能、Ｎ−Ｕｐ機能、ステープル機能、およびパンチ機能からなる群から選ばれた少なくとも一つの機能に関することを特徴とする請求項１に記載の画像形成装置。
【請求項３】
前記複数の電子メールアドレスにそれぞれ割り当てる画像出力形式の入力を受け付ける画像出力形式入力手段をさらに有する請求項１または請求項２に記載の画像形成装置。
【請求項４】
複数の電子メールアドレスにそれぞれ画像形成装置に搭載された複数種類の印刷機能または後処理機能に関する画像出力形式を割り当てる段階と、
前記複数の電子メールアドレスにかかる電子メールを受信する段階と、
受信した電子メールにかかる電子メールアドレスに割り当てられた前記画像出力形式に従って前記受信した電子メールに添付された画像データに対応する画像を形成する段階と、を有することを特徴とする画像形成方法。
【請求項５】
前記画像処理形式は、カラー印刷またはモノクロ印刷機能、両面印刷機能または片面印刷機能、Ｎ−Ｕｐ機能、ステープル機能、およびパンチ機能からなる群から選ばれた少なくとも一つの機能に関することを特徴とする請求項４に記載の画像形成方法。
【請求項６】
前記複数の電子メールアドレスにそれぞれ割り当てる画像出力形式の入力を受け付ける段階をさらに有する請求項４または請求項５に記載の画像形成方法。
【請求項７】
複数の電子メールアドレスにそれぞれ画像形成装置に搭載された複数種類の印刷機能または後処理機能に関する画像出力形式を割り当てる手順と、
前記複数の電子メールアドレスにかかる電子メールを受信する手順と、
受信した電子メールにかかる電子メールアドレスに割り当てられた前記画像出力形式に従って前記受信した電子メールに添付された画像データに対応する画像を形成する手順と、を画像形成装置に実行させることを特徴とする画像形成プログラム。
【請求項８】
前記画像処理形式は、カラー印刷またはモノクロ印刷機能、両面印刷機能または片面印刷機能、Ｎ−Ｕｐ機能、ステープル機能、およびパンチ機能からなる群から選ばれた少なくとも一つの機能に関することを特徴とする請求項７に記載の画像プログラム。
【請求項９】
前記複数の電子メールアドレスにそれぞれ割り当てる画像出力形式の入力を受け付ける手順をさらに画像形成装置に実行させることを特徴とする請求項７または請求項８に記載の画像形成プログラム。
【請求項１０】
請求項７〜９のいずれか１つに記載の画像形成プログラムを記録したコンピュータ読み取り可能な記録媒体。
【発明の詳細な説明】
【０００１】
【発明の属する技術分野】
本発明は、画像形成装置に関する。詳しくは、電子メールに添付して送信された画像データを受信して画像形成する画像形成装置である。
【０００２】
【従来の技術】
近年、スキャナ等の画像入力装置で取り込んだ画像データを電子メールに添付してインターネット等の通信ネットワークを介して遠隔地にあるプリンタやデジタル複写機等の画像形成装置に送信し印刷出力することが行われるようになり、ファクシミリよりも安価かつ高画質に画像を遠隔地に送付することができるようになった。これらの画像形成装置では、通常の印刷機能に加えて、カラーで印刷を行うカラー印刷機能、用紙の両面に印刷を行う両面印刷機能、用紙の１ページにＮページ分のデータを印刷するＮ−Ｕｐ機能、印刷後用紙をまとめてステープルするステープル機能、パンチ穴を開けるパンチ機能等の各種応用機能が搭載されている場合が多い。ところが、上記画像送信方法により画像データを遠隔地の画像形成装置に送信し、かかる応用機能を利用した出力形式により画像データを印刷出力しようとする場合、送信先の画像形成装置に固有のプリンタドライバや特有の書式を用いる必要があり、全ての送信先の画像形成装置のプリンタドライバ等を予め用意しておくことは現実的ではないため、送信先の画像形成装置に搭載された応用機能を利用できないという問題があった。
【０００３】
【発明が解決しようとする課題】
本発明は上記従来技術の有する問題点に鑑みなされたものであり、その目的とするところは、電子メールに添付して送信された画像データを受信して画像形成する画像形成装置において、搭載された各種応用機能を利用した出力形式により画像データを出力することのできる画像形成装置を提供することにある。
【０００４】
【課題を解決するための手段】
本発明の上記目的は、下記の手段によって達成される。
【０００５】
（１）  複数の電子メールアドレスにそれぞれ画像形成装置に搭載された複数種類の印刷機能または後処理機能に関する画像出力形式を割り当てる画像出力形式割当手段と、前記複数の電子メールアドレスにかかる電子メールを受信する電子メール受信手段と、受信した電子メールにかかる電子メールアドレスに割り当てられた前記画像出力形式に従って前記受信した電子メールに添付された画像データに対応する画像を形成する画像形成手段と、を有することを特徴とする画像形成装置。
（２）  前記画像処理形式は、カラー印刷またはモノクロ印刷機能、両面印刷機能または片面印刷機能、Ｎ−Ｕｐ機能、ステープル機能、およびパンチ機能からなる群から選ばれた少なくとも一つの機能に関することを特徴とする（１）に記載の画像形成装置。
【０００６】
（３）  前記複数の電子メールアドレスにそれぞれ割り当てる画像出力形式の入力を受け付ける画像出力形式入力手段をさらに有する（１）または（２）に記載の画像形成装置。
【０００７】
（４）  複数の電子メールアドレスにそれぞれ画像形成装置に搭載された複数種類の印刷機能または後処理機能に関する画像出力形式を割り当てる段階と、前記複数の電子メールアドレスにかかる電子メールを受信する段階と、受信した電子メールにかかる電子メールアドレスに割り当てられた前記画像出力形式に従って前記受信した電子メールに添付された画像データに対応する画像を形成する段階と、を有することを特徴とする画像形成方法。
（５）  前記画像処理形式は、カラー印刷またはモノクロ印刷機能、両面印刷機能または片面印刷機能、Ｎ−Ｕｐ機能、ステープル機能、およびパンチ機能からなる群から選ばれた少なくとも一つの機能に関することを特徴とする（４）に記載の画像形成方法。
【０００８】
（６）  前記複数の電子メールアドレスにそれぞれ割り当てる画像出力形式の入力を受け付ける段階をさらに有する（４）または（５）に記載の画像形成方法。
【０００９】
（７）  複数の電子メールアドレスにそれぞれ画像形成装置に搭載された複数種類の印刷機能または後処理機能に関する画像出力形式を割り当てる手順と、前記複数の電子メールアドレスにかかる電子メールを受信する手順と、受信した電子メールにかかる電子メールアドレスに割り当てられた前記画像出力形式に従って前記受信した電子メールに添付された画像データに対応する画像を形成する手順と、を画像形成装置に実行させることを特徴とする画像形成プログラム。
（８）  前記画像処理形式は、カラー印刷またはモノクロ印刷機能、両面印刷機能または片面印刷機能、Ｎ−Ｕｐ機能、ステープル機能、およびパンチ機能からなる群から選ばれた少なくとも一つの機能に関することを特徴とする（７）に記載の画像プログラム。
【００１０】
（９）  前記複数の電子メールアドレスにそれぞれ割り当てる画像出力形式の入力を受け付ける手順をさらに画像形成装置に実行させることを特徴とする（７）または（８）に記載の画像形成プログラム。
【００１１】
（１０）  （７）〜（９）のいずれか１つに記載の画像形成プログラムを記録したコンピュータ読み取り可能な記録媒体。
【００１２】
【発明の実施の形態】
以下、本発明の実施の形態を、図面を参照して詳細に説明する。
【００１３】
図１は、本発明の実施形態にかかる画像形成装置を含む画像送信システムの全体構成を示すブロック図である。本実施形態にかかる画像送信システムは、画像形成装置としてのプリンタ１と、画像入力装置としてのスキャナ２とを備え、これらは通信ネットワーク３を介して相互に通信可能に接続されている。なお、通信ネットワークに接続される機器の種類および台数は、図１に示す例に限定されない。
【００１４】
図２は、本実施形態にかかるプリンタ１の構成を示すブロック図である。図２において、プリンタ１は、ＣＰＵ１１、ＲＯＭ１２、ＲＡＭ１３、操作パネル部１４、印刷部１５、およびネットワークインタフェース１６を備えており、これらは信号をやり取りするためのバス１７を介して相互に接続されている。
【００１５】
ＣＰＵ１１は、プログラムにしたがって上記各部の制御や各種の演算処理等を行う。ＲＯＭ１２は、各種プログラムやパラメータを格納する。ＲＡＭ１３は、作業領域として一時的にプログラムやデータを記憶する。本実施形態において、プリンタ１は後述する所定の動作を行うが、このためのプリンタ１の動作を制御するプログラムは、ＲＯＭ１２に格納されている。操作パネル部１４は、タッチパネル、タッチパネル外の固定キー、表示ランプ等で構成されており、各種の入力と表示を行うために使用される。印刷部１５は、画像データを設定条件に従って印刷する。ネットワークインタフェース１６は、ネットワークに接続しネットワーク上の他の機器と通信するためのインタフェースであり、イーサネット（登録商標）、トークンリング、ＦＤＤＩ等の規格が用いられる。
【００１６】
本実施形態において、プリンタ１は電子メール受信機能を有し、設定された電子メールアカウント情報に従ってネットワークインタフェース１６および通信ネットワーク３を介して通信ネットワーク３上の受信メールサーバ（図示せず）に接続し、ＰＯＰ３やＩＭＡＰ４等により自己の電子メールアドレス宛ての電子メールをダウンロードする。
【００１７】
スキャナ２は、所定の位置にセットされた原稿を読み取って画像データを取得し、得られた画像データを電子メールに添付して、ＳＭＴＰ等により通信ネットワーク３上の送信メールサーバ（図示せず）を介して指定された電子メールアドレス宛てに送信する機能を有する。
【００１８】
通信ネットワーク３は、電話網、移動通信網、ＩＳＤＮ、パケット交換網等の公衆網、およびＬＡＮ、ＷＡＮ、インターネット等のコンピュータネットワークを含むものである。プリンタ１が利用する受信メールサーバおよびスキャナ２が利用する送信メールサーバは、通信ネットワーク３に含まれる。
【００１９】
つぎに、本実施形態における画像送信システム全体の画像送信処理の概要を説明する。本実施形態においては、予めプリンタ１に複数の電子メールアドレスが設定され、それぞれの電子メールアドレスに対して個別の画像出力形式が割り当てられる。以下に、プリンタ１への電子メールアドレスの設定および電子メールアドレスへの画像出力形式の割り当ての手順について、管理者によるプリンタ１の操作パネル部１４のタッチパネルからの設定操作をもって説明する。
【００２０】
管理者は、プリンタ１の操作パネル部１４のタッチパネルから管理者用パスワードを入力することにより、タッチパネルに図３に示すような管理者専用の設定画面を表示させる。管理者用設定画面４１は、プリンタ１に電子メールアカウントを設定するための画面を表示させる電子メールアカウント設定キー４１１、電子メールアドレスに割り当てる印刷形式を設定するための画面を表示させる印刷形式設定キー４１２、管理者用設定画面４１を表示させるためのパスワードを設定する画面を表示させる管理者パスワード設定キー４１３、設定を有効にして上位画面に戻る設定キー４１４、設定を取り消して上位画面に戻る取消キー４１５等から構成される。
【００２１】
つぎに、管理者用設定画面４１において電子メールアカウント設定キー４１１を押すことにより、図４に示すような第１の電子メールアカウント設定画面を表示させる。第１の電子メールアカウント設定画面４２は、設定された電子メールアドレスを表示する電子メールアドレス表示フィールド４２１、設定された受信メールサーバのホスト名を表示する受信メールサーバ表示フィールド４２２、設定された受信メールサーバ用パスワードを表示するパスワード表示フィールド４２３、これらの設定を変更するための画面を表示させる変更キー４２４ａ、４２４ｂおよび４２４ｃ、設定を有効にして上位画面に戻る設定キー４２５、設定を取り消して上位画面に戻る取消キー４２６、他の電子メールアカウントにかかる設定画面を表示させるタグキー４２７ａ、４２７ｂ、４２７ｃおよび４２７ｄ等から構成される。
【００２２】
ついで、第１の電子メールアカウント設定画面４２において変更キー４２４ａを押すことにより、図５に示すような電子メールアドレス変更画面を表示させる。電子メールアドレス変更画面４３は、変更された電子メールアドレスを表示する電子メールアドレス表示フィールド４３１、電子メールアドレス表示フィールド４３１に文字や記号や数字を入力する文字入力キー４３２、大文字小文字を切り替えるシフトキー４３３、カーソル以後の文字を削除する削除キー４３４、カーソル前の文字を削除するバックスペースキー４３５、設定を有効にして上位画面に戻る設定キー４３６、設定を取り消して上位画面に戻る取消キー４３７等から構成される。電子メールアドレス変更画面４３において、文字入力キー４３２および必要によりシフトキー４３３、削除キー４３４、バックスペースキー４３５等を操作することにより電子メールアドレス表示フィールド４３１に第１の電子メールアドレス（ｔｏｋｙｏ＠ａａａ．ｂｂｂ．ｃｏ．ｊｐ）を入力して、設定キー４３６を押すことにより電子メールアカウント設定画面４２に戻る。
【００２３】
さらに、第１の電子メールアカウント設定画面４２においてタグキー４２７ａを押すことにより、図６に示すような第２の電子メールアカウント設定画面を表示させる。第２の電子メールアカウント設定画面４４を構成するキー４４１〜４４７ｄは、第１の電子メールアカウント設定画面４２におけるキー４２１〜４２７ｄと同様の機能を有する。第２の電子メールアカウント設定画面４４において、前述の第１の電子メールアカウント設定画面４２と同様の手順により第２の電子メールアドレス（ｔｏｋｙｏ＿２ｉｎ１＠ａａａ．ｂｂｂ．ｃｏ．ｊｐ）を入力する。さらに同様の手順を繰り返して、プリンタ１に複数の電子メールアドレスを設定する。
【００２４】
つぎに、管理者用設定画面４１において印刷形式設定キー４１２を押すことにより、図７に示すような第１の印刷形式設定画面を表示させる。第１の印刷形式設定画面４５は、印刷形式を割り当てる電子メールアドレス（第１の電子メールアドレス）を表示する電子メールアドレス表示フィールド４５１、モノクロ印刷かカラー印刷かを選択する印刷色選択プルダウンメニュー４５２、片面印刷か両面印刷かを選択する印刷面選択プルダウンメニュー４５３、用紙の１ページに何ページ（Ｎページ）分のデータを印刷するかを選択するＮ−Ｕｐ選択プルダウンメニュー４５４、印刷後のステープルの要否を選択するステープル選択プルダウンメニュー４５５、設定を有効にして上位画面に戻る設定キー４５６、設定を取り消して上位画面に戻る取消キー４５７、他の電子メールアカウントにかかる設定画面を表示させるタグキー４５８ａ、４５８ｂ、４５８ｃおよび４５８ｄ等から構成される。第１の印刷形式設定画面４５において、印刷色選択プルダウンメニュー４５２、印刷面選択プルダウンメニュー４５３、Ｎ−Ｕｐ選択プルダウンメニュー４５４、ステープル選択プルダウンメニュー４５５等を押して第１の電子メールアドレス（ｔｏｋｙｏ＠ａａａ．ｂｂｂ．ｃｏ．ｊｐ）に割り当てる印刷機能を選択して印刷形式（モノクロ、片面、１−ｕｐ、ステープルなし）を設定し、設定キー４５６を押すことにより管理者用設定画面４１に戻る。
【００２５】
さらに、第１の印刷形式設定画面４５においてタグキー４５８ａを押すことにより、図８に示すような第２の印刷形式設定画面を表示させる。第２の印刷形式設定画面４６を構成するキー４６１〜４６８ｄは、第１の印刷形式設定画面４５におけるキー４５１〜４５８ｄと同様の機能を有する。第２の印刷形式設定画面４６において、前述の第１の印刷形式設定画面４５と同様の手順により第２の電子メールアドレス（ｔｏｋｙｏ＿２ｉｎ１＠ａａａ．ｂｂｂ．ｃｏ．ｊｐ）に割り当てる印刷機能を選択して印刷形式（モノクロ、片面、２−ｕｐ、ステープルなし）を設定する。さらに同様の手順を繰り返して、プリンタ１に設定した複数の電子メールアドレスに対し個別に印刷形式を割り当てる。そして、管理者用設定画面４１において設定キー４１４を押すことによりすべての設定を有効にして、プリンタ１への電子メールアドレスの設定および電子メールアドレスへの画像出力形式の割り当ての操作を終了する。
【００２６】
つぎに、本実施形態の画像送信システムにおけるスキャナ２の画像送信処理の手順について説明する。図９は、本実施形態におけるスキャナ２の画像送信処理の手順を示すフローチャートである。図９において、まず、スキャナ２は、画像を添付して送信する電子メールの宛先として、プリンタ１に設定された電子メールアドレスの入力を受け付ける（Ｓ１０１）。ユーザは、プリンタ１に設定された電子メールアドレスのうち、所望の印刷形式が割り当てられた電子メールアドレスを操作パネル等を介してスキャナ２に入力する。さらに、スキャナ２は、本文および件名等のその他のヘッダ情報の入力を受け付ける（Ｓ１０２）。つぎに、ユーザからの原稿読み取り命令の入力を待って所定の位置にセットされた原稿を読み取って画像データを取得する（Ｓ１０３）。ついで、得られた画像データを添付ファイルとし、入力された本文およびヘッダ情報を用いてプリンタ１の電子メールアドレスを宛先とする電子メールデータを作成する（Ｓ１０４）。そして、作成した電子メールデータを、通信ネットワーク３を介して予め設定されている送信メールサーバに送信する（Ｓ１０５）。
【００２７】
つぎに、本実施形態の画像送信システムにおけるプリンタ１の画像形成処理の手順について説明する。図１０は、本実施形態におけるプリンタ１の画像形成処理の手順を示すフローチャートである。図１０において、プリンタ１は、設定された複数の電子メールアドレスごとに、ネットワークインタフェース１６および通信ネットワーク３を介して指定された受信メールサーバに接続して電子メールアドレスおよびパスワードを送信し、電子メールの受信要求を行う（Ｓ２０１）。そして、接続した受信メールサーバにプリンタ１にかかる電子メールアドレス宛ての電子メールの着信がある場合は（Ｓ２０２のＹＥＳ）、当該電子メールデータを受信し（Ｓ２０３）、受信メールサーバとの接続を終了する。一方、接続した受信メールサーバに当該電子メールアドレス宛ての電子メールの着信がない場合は、受信メールサーバとの接続を断って画像形成処理全体を終了する（Ｓ２０２のＮＯ）。上述の受信メールサーバへの電子メールの受信要求は、予め設定されたスケジュールに基づいて定期的に行うものであっても良いし、ユーザからの接続命令の入力を待って行うものであっても良い。また、受信メールサーバへの電子メールの着信を監視して着信した電子メールアドレスにかかるメールクライアントに電子メールの着信を通知するプログラム等により着信通知を受信した場合に、受信メールサーバに電子メールの受信要求を行う構成であっても良い。
【００２８】
ステップＳ２０３で電子メールデータを受信した場合、ついで、受信した電子メールデータをデコードし、電子メール本体（ヘッダおよび本文）と添付ファイルの画像データを取得する（Ｓ２０４）。さらに、受信した電子メールの宛先にかかる電子メールアドレスに割り当てられた印刷形式を読み出し（Ｓ２０５）、読み出した印刷形式に従って、電子メール本体および添付ファイルの画像データの印刷ジョブを作成する（Ｓ２０６）。そして、作成した印刷ジョブに基づいて印刷処理を行い（Ｓ２０７）、画像形成処理を終了する。
【００２９】
図１１は、プリンタ１に設定された電子メールアドレスに受信した電子メールの一例を示す図であり、図１２は、図１１の電子メールの印刷結果の一例を示す図である。図１１において、受信した電子メールはプリンタ１に設定された第２の電子メールアドレス（ｔｏｋｙｏ＿２ｉｎ１＠ａａａ．ｂｂｂ．ｃｏ．ｊｐ）宛てに送信されたものであるので、図１２において、第２の電子メールアドレスに割り当てられた印刷形式（モノクロ、片面、２−ｕｐ、ステープルなし）により、電子メール本体と添付ファイルの画像データが印刷されている。
【００３０】
図１３は、図１１の電子メールの印刷結果の他の例を示す図である。図１３においては、電子メール本体はプリンタ１のデフォルトの印刷形式（モノクロ、片面、１−ｕｐ、ステープルなし）により、添付ファイルの画像データは第２の電子メールアドレスに割り当てられた印刷形式（モノクロ、片面、２−ｕｐ、ステープルなし）により、それぞれ印刷されている。すなわち、電子メール本体のヘッダは送信者や受信者の特定等、本文は添付ファイルの画像データの補足等としてのみ利用され、高度な応用機能による印刷形式は添付ファイルの画像データにのみ適用すれば足りる場合が多く、かかる場合に、プリンタ１の電子メールアドレスに割り当てられた印刷形式を添付ファイルにのみ適用する構成としても構わない。
【００３１】
上記実施形態では、本発明の画像形成装置をプリンタを例にして説明したが、本発明はこれに限定されるものではなく、例えば、デジタル複写機、ファクシミリ装置等の印刷機能を有する多機能周辺機器（ＭＦＰ）等や、単体あるいはパソコン等に接続されたＣＲＴディスプレイ、液晶ディスプレイ、プロジェクタ等のディスプレイ装置であってもよい。
【００３２】
本発明による画像形成装置および画像形成方法は、上記各手順を実行するための専用のハードウエア回路によっても、また、上記各手順を記述した所定のプログラムをＣＰＵが実行することによっても実現することができる。後者により本発明を実現する場合、画像形成装置を動作させる上記所定のプログラムは、フロッピー（登録商標）ディスクやＣＤ−ＲＯＭ等のコンピュータ読取可能な記録媒体によって提供されてもよいし、インターネット等のネットワークを介してオンラインで提供されてもよい。この場合、コンピュータ読取可能な記録媒体に記録されたプログラムは、通常、ＲＯＭやハードディスク等に転送され記憶される。また、このプログラムは、たとえば、単独のアプリケーションソフトとして提供されてもよいし、画像形成装置の一機能としてその装置のソフトウエアに組み込んでもよい。
【００３３】
【発明の効果】
上述したように、本発明によれば、電子メールに添付して送信された画像データを受信して画像形成する画像形成装置において、搭載された各種応用機能を利用した出力形式により画像データを出力することができる。
【図面の簡単な説明】
【図１】  本発明の実施形態にかかる画像形成装置を含む画像送信システムの全体構成を示すブロック図である。
【図２】  本実施形態にかかるプリンタ１の構成を示すブロック図である。
【図３】  プリンタ１の操作パネル部１４のタッチパネルに表示される管理者用設定画面の一例を示す図である。
【図４】  プリンタ１の操作パネル部１４のタッチパネルに表示される第１の電子メールアカウント設定画面の一例を示す図である。
【図５】  プリンタ１の操作パネル部１４のタッチパネルに表示される電子メールアドレス変更画面の一例を示す図である。
【図６】  プリンタ１の操作パネル部１４のタッチパネルに表示される第２の電子メールアカウント設定画面の一例を示す図である。
【図７】  プリンタ１の操作パネル部１４のタッチパネルに表示される第１の印刷形式設定画面の一例を示す図である。
【図８】  プリンタ１の操作パネル部１４のタッチパネルに表示される第２の印刷形式設定画面の一例を示す図である。
【図９】  本実施形態におけるスキャナ２の画像送信処理の手順を示すフローチャートである。
【図１０】  本実施形態におけるプリンタ１の画像形成処理の手順を示すフローチャートである。
【図１１】  プリンタ１に設定された電子メールアドレスに受信した電子メールの一例を示す図である。
【図１２】  図１１の電子メールの印刷結果の一例を示す図である。
【図１３】  図１１の電子メールの印刷結果の他の例を示す図である。
【符号の説明】
１…プリンタ、
１１…ＣＰＵ、
１２…ＲＯＭ、
１３…ＲＡＭ、
１４…操作パネル、
１５…印刷部、
１６…ネットワークインタフェース、
１７…バス
２…スキャナ、
３…通信ネットワーク。
【図１】
0004200675.tif 000002
【図２】
0004200675.tif 000003
【図３】
0004200675.tif 000004
【図４】
0004200675.tif 000005
【図５】
0004200675.tif 000006
【図６】
0004200675.tif 000007
【図７】
0004200675.tif 000008
【図８】
0004200675.tif 000009
【図９】
0004200675.tif 000010
【図１０】
0004200675.tif 000011
【図１１】
0004200675.tif 000012
【図１２】
0004200675.tif 000013
【図１３】
0004200675.tif 000014